(57)【要約】
【目的】　内容物の流量を制限することが可能な瓶用キャップを提供すること。
【解決手段】　この考案の瓶用キャップは、瓶の口部に装着されるようにした装着体１と、装着体１の開口部を塞ぐ蓋体２を有する瓶用キャップであって、装着体１の内側において、内容物が流れる通路３の一部を遮る複数の羽根４を設け、内容物の流量が制限されるようにしたものとしている。前記通路３の横断面を円形とし、羽根４は通路３の半径よりも短い略扇形状で、装着体１の内周面の同じ高さ位置に、周方向に沿って適宜間隔で設けられたものとすることができる。　また、羽根４は、通路３の中央側の先端部が下がるように傾斜させて設けられたものとすることができる。
【選択図】　図３
0003100548.tif 000002
【実用新案登録請求の範囲】
【請求項１】
　瓶の口部に装着されるようにした装着体（１）と、装着体（１）の開口部を塞ぐ蓋体（２）を有する瓶用キャップであって、装着体（１）の内側において、内容物が流れる通路（３）の一部を遮る複数の羽根（４）を設け、内容物の流量が制限されるようにしていることを特徴とする瓶用キャップ。
【請求項２】
　通路（３）の横断面を円形とし、羽根（４）は通路（３）の半径よりも短い略扇形状で、装着体（１）の内周面の同じ高さ位置に、周方向に沿って適宜間隔で設けられたものとしている請求項１記載の瓶用キャップ。
【請求項３】
　羽根（４）は、通路（３）の中央側の先端部が下がるように傾斜させて設けられている請求項１又は２記載の瓶用キャップ。
【考案の詳細な説明】
【技術分野】
【０００１】
　この考案は、醤油、みりん等の調味料や、その他適宜の液体状の内容物を入れた瓶の口部に装着される瓶用キャップに関するものである。
【背景技術】
【０００２】
　従来より、瓶の口部に装着されるようにした装着体と、装着体の開口部を塞ぐ蓋体を有する瓶用キャップが、醤油やみりん等の液体状の内容物を入れて販売されるガラス瓶やペットボトル等の瓶に使用されている（例えば特許文献１参照）。
【０００３】
　この種の瓶用キャップは、使用時に開蓋して内容物を注ぎ出すようにしているが、内容物の流量を調整することが難しく、勢いあまって必要以上に内容物を出して無駄することが多かった。
【特許文献１】第３０９３９１５号登録実用新案公報
【考案の開示】
【考案が解決しようとする課題】
【０００４】
　そこで、この考案は、内容物の流量を制限することが可能な瓶用キャップを提供することを課題とする。
【課題を解決するための手段】
【０００５】
　この考案の瓶用キャップは、瓶の口部に装着されるようにした装着体１と、装着体１の開口部を塞ぐ蓋体２を有する瓶用キャップであって、装着体１の内側において、内容物が流れる通路３の一部を遮る複数の羽根４を設け、内容物の流量が制限されるようにしたものとしている。
【０００６】
　さらに、前記通路３の横断面を円形とし、羽根４は通路３の半径よりも短い略扇形状で、装着体１の内周面の同じ高さ位置に、周方向に沿って適宜間隔で設けられたものとすることができる。
【０００７】
　また、羽根４は、通路３の中央側の先端部が下がるように傾斜させて設けられたものとすることができる。
【考案の効果】
【０００８】
　この考案の瓶用キャップは、上述のような構成を有しており、蓋体２を取り外し、内容物を注ぎだすとき、内容物が通路３内において、羽根４によって流量が制限されるため、内容物が瓶から過度に流れ出すことが防止される。
【０００９】
　さらに、前記通路３の横断面を円形とし、羽根４は通路３の半径よりも短い略扇形状で、装着体１の内周面の同じ高さ位置に、周方向に沿って適宜間隔で設けられたものとすれば、瓶を違う位置で持ち替えて内容物を注ぎ出しても、常に同じように流量が制限される。
【００１０】
　また、羽根４を、通路３の中央側の先端部が下がるように傾斜させて設けられたものとすれば、羽根４の上方に達した内容物は、瓶を元の立てた状態に戻すと、速やかに瓶の下方に戻る。
【考案を実施するための最良の形態】
【００１１】
　以下、この考案の好適な実施形態を、図面を参照して説明する。
【００１２】
　図１はこの考案の瓶用キャップの正面図、図２は同底面図、図３は同断面図、図４は開蓋状態での正面図である。
【００１３】
　この考案の瓶用キャップは、瓶の口部に装着されるようにした装着体１と、装着体１の開口部を塞ぐ蓋体２を有する瓶用キャップであって、装着体１の内側において、内容物が流れる通路３の一部を遮る複数の羽根４を設け、内容物の流量が制限されるようにしている。
【００１４】
　装着体１及び蓋体２は、合成樹脂で形成されたものとすることができる。装着体１は、瓶の口部の外周面を包囲する筒状部５と、筒状部５の内側に形成された注ぎ口６からなる。注ぎ口６は横断面が円形の２重の筒状で、その上部６ａが装着された瓶の口部上方に突出し、下部６ｂの下端部が瓶の口部の内周面に沿うようになっている。
【００１５】
　装着体１は、筒状部５と注ぎ口６の下部６ｂとの間に瓶の口部を押し込むことにより、しっかりと瓶の口部に装着された状態となる。装着体１の注ぎ口６の上部６ａ及び下部６ｂの内側が、内容物の通る通路３となっている。
【００１６】
　羽根４は通路３の半径よりも短い略扇形状で、装着体１の下部６ｂの内周面の同じ高さ位置に、周方向に沿って適宜間隔で設けられたものとしている。羽根４は、通路３の中央側の先端部が下がるように傾斜させて設けられている（図３参照）。
【００１７】
　注ぎ口６の上部６ａの下端には内容物遮断壁７が形成されている。内容物遮断壁７には平面視において円形の薄肉部分８が形成されており、この薄肉部分８の内側に接続されたプルタブ９を引いて内容物遮断壁７を開口させられるようになっている。
【００１８】
　蓋体２は、装着体１に螺着により着脱可能としたものとしている。装着体１の下部６ｂの外周と、蓋体２の周壁の内側には、互いに螺合する一対の螺子１０ａ，１０ｂが形成されている。
【００１９】
　このキャップは、以上のように構成されているため、蓋体２を取り外し、内容物を注ぎだすとき、内容物が通路３内において、羽根４によって流量が制限される。したがって、必要以上に瓶を傾けてしまった場合でも、内容物が過度に流れ出すことが防止される。
【００２０】
　また、前記構成により、通路３における各羽根４間の隙間は、図２のように、放射状になっているため、瓶を違う位置で持ち替えて内容物を注ぎ出しても、常に同じように流量が制限される。さらに、羽根４は、通路３の中央側の先端部が下がるように傾斜させて設けられているため、必要量の内容物を注ぎだした後、羽根４の上方に達した内容物は、瓶を元の立てた状態に戻すと、速やかに瓶の下方に戻る。
【００２１】
　また、図４に示したように、このキャップは、装着体１の筒状部５において、上方に突出する突出片１１と、その左側に縦方向の弱化線１２が形成されている。弱化線１２は、人の手だけで比較的容易に引き裂くことができる程度に弱化させた部分で、筒状部５の内側又は外側からミシン目を形成したり、溝を形成したりして肉厚を薄くする等、適宜の手段により形成することができる。
【００２２】
　この瓶用キャップは、使用後、前記突出片１１を指でつまみ、弱化線１２を引き裂くことにより、筒状部５の瓶の口部に対する締め付けの力が緩み、小さな力で容易に装着体１を瓶の口部から取り外すことができる。
【産業上の利用可能性】
【００２３】
　従来の瓶用キャップに代わるものとして利用することが可能である。
【図面の簡単な説明】
【００２４】
【図１】この考案の実施形態の瓶用キャップの正面図である。
【図２】この考案の実施形態の瓶用キャップの底面図である。
【図３】この考案の実施形態の瓶用キャップの断面図である。
【図４】この考案の実施形態の瓶用キャップの開蓋状態での正面図である。
【符号の説明】
【００２５】
　１　装着体
　２　蓋体
　３　通路
　４　羽根
【図１】
0003100548.tif 000003
【図２】
0003100548.tif 000004
【図３】
0003100548.tif 000005
【図４】
0003100548.tif 000006